Podtech/llm-jp-corpus-v4-ja_patent huggingface dataset:
(57)【要約】【課題】  小型動物ペット寝具をペットに対する毒性の微弱な非揮発性薬剤で処理することにより、ダニやノミを卵や幼虫の段階で駆除する。【解決手段】  ペット用寝具を構成する天然繊維あるいは合成繊維をホウ酸塩処理する。【選択図】図１
0003104526.tif 000002
【実用新案登録請求の範囲】
【請求項１】
ペット小屋を構成する木材の一部または全部がホウ酸塩処理されていることを特徴とするペット小屋
【考案の詳細な説明】
【技術分野】
【０００１】  この考案は、犬、猫等の小型哺乳動物ペットを飼育するための木製小屋に関するものである。
【背景技術】
【０００２】  ペット小屋は、ペットに快適な生活環境を与えるための設備であるが、しばしば、ノミやダニの繁殖する媒体となり、また、内壁にカビが発生し、ペットの健康を害する危険性もある。ペット小屋の害虫やカビを駆除するため、殺虫剤や防カビ剤を噴霧すると、小屋内に薬剤が残留し、ペットの健康を損ねることもある。
【考案が解決しようとする課題】
【０００３】  ペットをノミやダニから護る一つの方法は、これら害虫の重要な繁殖媒体となるペット小屋を、ペットに対する毒性は微弱であるが、害虫の卵や幼虫に対する毒性の高い薬剤で処理することである。
【課題を解決するための手段】
【０００４】  本考案者は、種々の可能性を検討した結果、ペット小屋を構成する木材の一部または全部をホウ酸塩処理することが、上記目的に効果的であることを見出した。
【０００５】  本考案でいうホウ酸塩とは、ホウ素のオキシ酸塩の総称で、特にオルトホウ酸、ホウ砂、八ホウ酸二ナトリウムあるいはこれらの混合物である。ホウ酸塩処理とは物理的、化学的手段で木材にホウ酸塩を含浸させることをいい、通常は木材を常圧あるいは加圧下でホウ酸塩水溶液に浸漬して達成する。木材に対するホウ酸塩の添加量は、ホウ素換算で０．１重量％以上が望ましい。
【作用】
【０００６】  本考案のペット小屋では、害虫が床に産卵すると、木材に含浸したホウ酸塩が水分を介して卵の内部に浸透し、卵の孵化率を低下させる。
【０００７】  また、床に散乱する微細なペットの皮膚屑、あか、食物のかすなどにもホウ酸塩が浸透し、これらを摂食するダニやノミの幼虫は死滅する。このため、本考案のペット小屋では、ダニやノミの繁殖は抑制される。
【０００８】  本考案のペット小屋内壁は、ホウ酸塩で処理されているため、シックハウス症候群の原因となる黒カビも発生しにくい。
【０００９】  ホウ酸塩は、ノミやダニに対し強い毒性を持つが、哺乳動物では腎臓の浄血作用により過剰のホウ酸塩は尿として排出されるため毒性は微弱である。
このため、本発明のペット小屋は、ペットの健康を損ねることはない。
【実施例】
【００１０】  以下、本考案のペット小屋の実施例について説明する。
図１は、本考案のペット（犬）小屋の例である。屋根板、側板、床板は厚さ１５ｍｍの杉板で、八ホウ酸二ナトリウム四水和物（ＤＯＴ）の水溶液を加圧注入した。ホウ素に換算した注入量は、木材の乾燥重量に対し０．４重量パーセントである。柱及び床根太もＤＯＴを加圧注入しており、ホウ素換算の注入量は木材乾燥重量に対して０．５重量パーセントである。【００１１】  屋根及び側板の外側は、ホウ酸塩の溶脱と木材の紫外線劣化とを防ぐため、耐水性塗料を塗装してある。本考案の効果を最大限に発揮するため、小屋の内側は塗装してない。【００１２】  飼い犬がこの小屋にノミやダニを持ち込んでも、これら害虫の卵の孵化、幼虫の成育はホウ酸塩で阻止されるため、小屋内での害虫の繁殖は抑制される。また、犬小屋内壁にカビが発生する危険性も低下する。
【産業上の利用可能性】
【００１３】  本考案のペット小屋は、ペットがそこで寝るだけで、体についたダニやノミの繁殖を抑える効果がある。また、従来の殺虫剤と異なり、ペットの健康を損ねる可能性も小さい。
【図面の簡単な説明】
【００１４】
【図１】本考案のペット小屋の斜視図である。
【符号の説明】
１は屋根板
２は側板
３は床板
【図１】
0003104526.tif 000003
(57)【要約】【課題】磁気カードなどを一枚づつ収容する複数のポケットを回動可能に連結したカードホルダは嵩張って携帯に不便である上、カードの挿入と抜き出しが不便である。本案は、カードの一覧性を向上させると共にカード下端を常時露出させて収容し、自然な操作で抜き出せるようにする。【解決手段】方形基板２と方形表板３の重ね合わせ体が上辺のカード出入れ口５を除く周辺４と、下辺６に並行に左右一対のカード掛止部８が融着されて基部９とカード収容部１０が形成されると共にカード掛止部８，８間の表板に下辺から前記カード収容部に至る押出し案内切欠７が形成されてなるカードポケットＡを基部９に形成された連結穴１１によって台板１２に枢着連結させた回動式カードホルダ。【選択図】図１
0003104552.tif 000002
【実用新案登録請求の範囲】
【請求項１】
熱融性合成樹脂シートでなる方形基板と方形表板の重ね合わせ体が上辺のカード出入れ口を除く周辺と、下辺に並行に左右一対のカード掛止部が融着されて基部とカード収容部が形成されると共に前記一対のカード掛止部間の表板に下辺から前記カード収容部に至る押出し案内切欠が形成されてなるカードポケットが前記基部のいづれか一方に形成された連結穴によって枢着連結されてなる回動式カードホルダ。
【請求項２】
請求項１記載のカードポケットが基部の連結穴によって台板に枢着連結されてなる回動式カードホルダ。
【考案の詳細な説明】
【技術分野】
【０００１】
この考案は、磁気カードを含む各種のカードを収容するポケットを回動可能に多数枚連結した回動式カードホルダに関する。
【背景技術】
【０００２】
透明又は半透明の合成樹脂製シートでなるカードポケットの非開口側下辺隅部を枢着連結して多数枚のカードを纏めて収容するカードホルダは公知（特許文献１参照）である。
【０００３】
しかし、この物品に使用されているポケット体は、図３に示すように方形ポケットの非開口側隅部に枢着連結用の穴を設けた耳部を突設したもので製造が不便である他、カードの取り出しには、開口部に覗いているカード端を摘み出すことによって行うため不便である。
【０００４】
【特許文献１】実用新案公報  実公平４−１５０５６
【考案の開示】
【考案が解決しようとする課題】
【０００５】
本案は、収容している多数枚のカードの一覧性を向上させると同時に、カードの取出しが自然且つ容易にできるカードホルダを提供するものである。
【課題を解決するための手段】
【０００６】
本案品は、熱融性合成樹脂シートでなる方形基板と方形表板の重ね合わせ体が上辺のカード出入れ口を除いて周辺を融着すると共に下辺に並行に左右一対のカード掛止部を設けることによって基部とカード収容部が形成され、更に、前記カード掛止部間に位置して前記表板に下辺から前記カード収容部に至る押出し案内切欠が形成されて構成されたカードポケットを所要枚数重ねてビス又は鳩目などの枢着手段によって前記基部の一方に形成された枢着連結穴を通して連結するか厚手の台板に連結してなる回動式カードホルダであって、胸ポケットなどにそのまま入れて携帯できるものである。
本案のカードポケットは、柔軟であるがカードを挿入すれば形態が保持されるから台板が無くてもカードホルダとして使用できる。なお、連結穴はいづれの基部に形成してもよいことは勿論、台板の大きさは任意である。
【考案の効果】
【０００７】
本案品は、回動式であるからカードの一覧性に優れている上、押出し案内切欠部に常時露出しているカード下辺に親指を掛けることによってカードを押出せるので収容カードの取出しが自然にしかも極めて容易・確実に行うことができ、従来のようにカード上辺をの摘み出す操作が不要になる。
更に、本案カードホルダは、従来品のように脱落防止バンド付折り畳みカバー表紙などが不要であるから嵩張らず携帯に便利である。
【考案を実施するための最良の形態】
【０００８】
図中、Ａは、カード１を収容保持するカードポケット、２は基板、３は表板であって塩化ビニルなどの透明又は半透明の方形樹脂シートである。４は、上辺のカード出し入れ口５を除く周辺溶着部、６は下辺である。８はポケット下辺側に形成された左右一対のカード掛止部であり、これによって基部９とカード収容部１０が形成される。
カード掛止部は、周辺溶着部４及び枢着具連結穴１１と同時に融着形成される。７は表板下辺に形成されたカード押出し案内切欠であって左右のカード掛止部８，８の間に位置するように設けられカード収容部１０に達している。
カードポケットＡは、図２のように任意枚数積層され、連結穴１１にビスそのたの枢着具１３が挿通されて台板１２と共に枢着連結されてカードホルダＢが構成される。
【０００９】
本案ホルダは、カード１が一対の掛止部８、８によって区画されたカード収容部１０に図１のようにカードの下辺部が露出されて収容され、基部の中間部が指掛け部７Ａとなるのでポケットの回動操作に便利である他、指先をそのまま案内切欠７に沿って押出すだけでカードを簡単容易に取出すことができる。
【図面の簡単な説明】
【００１０】
【図１】カードポケットの上面図
【図２】本案カードホルダの断面図
【図３】従来品の斜視図
【符号の説明】
【００１１】
Ａ  カードポケット
１  カード
２  基板
３  表板
４  周辺溶着部
５  カード出し入れ口
６  下辺
７  押出し案内切欠
８  カード掛止部
９  基部
１０  カード収容部
１１  連結穴
１２  台板
１３  枢着具
Ｂ  カードホルダ
【図１】
0003104552.tif 000003
【図２】
0003104552.tif 000004
【図３】
0003104552.tif 000005
(57)【要約】【課題】本考案は人工毛自体が暗い場所で発光する事により、新しい髪型、髪色を作る。【解決手段】本考案は人工毛本体１に蓄光繊維を使用し、２の止め具でまとめる事により、適量を取り分け、取り付け出来るようになり、新しい髪型、髪色を作ることが出来る。【選択図】  図１
0003104508.tif 000002
【実用新案登録請求の範囲】
【請求項１】
白色蛍光灯、ブラックライト光、又は自然光等の光を吸収蓄積して暗い場所で発光する蓄光繊維をひとまとめにし、髪の毛に馴染むように、髪の毛に編み込む髪飾り。または止め具、接着剤等で髪の毛に取り付ける髪飾り。
【考案の詳細な説明】
【技術分野】
【０００１】本考案は蓄光繊維をひとまとめにし、白色蛍光灯、ブラックライト光、又は自然光等の光を吸収蓄積して暗い場所で発光する髪飾りに関するものである。
【背景技術】
【０００２】人工毛を取り付ける場合、色付き繊維（人工毛）を毛髪に編み込み、又は止め具等、接着剤等で取り付けて簡単増毛、メッシュ（一部染め）と、染毛剤を使わずに毛髪に色のアクセントをつける事や髪の毛の長さを簡単に変える事の出来るファッション性の高いものであった。
【考案の開示】
【考案が解決しようとする課題】
【０００３】今までは、髪型、髪色を簡単に変化させる事が出来るものであったが、明るい場所で光を吸収蓄積し暗い場所で発光する事により、更に多彩なカラーバリエーションによりファッション性の高い髪型、髪色を作る事が可能になり、前述の欠点を解決しようとするものである。
【課題を解決するための手段】
【０００４】本考案は、人工毛自体に蓄光繊維を使用し暗い場所で発光する事により、髪色を変化、長さを変えるだけでなく、更に新しいファッション性の高いヘアースタイルを作る事ができ、日常生活、七五三、成人式等で今までのファッション性を更に高める事により問題点を解決している。
【考案の効果】
【０００５】上述の様に本考案の蓄光人工毛は、毛髪に編み込み、又は止め具、又は接着剤等で取り付け、簡単増毛、長さを変える事は勿論、本体に蓄光繊維を用いたので、暗い場所で発光する事により、従来の人工毛とは異なる美観、ファッション性により新しい髪形、髪色を作ることが出来る。
【本考案を実施する為の最良の形態】
【０００６】蓄光人工毛の先端、又は中心を毛髪に馴染む様に編み込み、又は止め具や接着剤等により取り付けし、髪型を変化、髪色を変化させる。
【実施例】
【０００７】以下、添付図面に従って一実施例を説明する。１は蓄光繊維にて形成された髪飾り本体、２は耐久性のプラスティックス等適宣素材で本体をまとめ本体を取り付ける際に、適量を取り分け、取り付け出来るように本体自体に巻きつけてある。
【産業上の利用可能性】
【０００８】量販店、雑貨店や一般販売小売店、美容室、理容室、エクステンション専門店、販売代理店、販売卸問屋の商品として役立つ。
【図面の簡単な説明】
【０００９】
【図１】本考案の蓄光人工毛の一実施例を示す正面図である。
【符号の説明】
【０００１０】１  人工毛本体
２  止め具
【図１】
0003104508.tif 000003
【手続補正書】
【提出日】平成16年5月19日(2004.5.19)
【手続補正１】
【補正対象書類名】実用新案登録請求の範囲
【補正対象項目名】請求項１
【補正方法】変更
【補正の内容】
【請求項１】
白色蛍光灯、ブラックライト光、又は太陽光を吸収蓄積して暗い場所で発光する蓄光繊維をひとまとめにし、髪の毛に馴染むように髪の毛に編みこむ、または止め具、接着剤等で髪の毛に取り付ける、髪飾り。
(57)【要約】【課題】カメラでとらえた映像を送信することが出来るカメラ付きラジコン機で、正面方向以外の周辺状況を見るためにはラジコン機本体を見たい方向へ移動させる必要があり手間と時間がかかり不便であった。本考案は、この不便を解消するためになされたものである。【解決手段】ラジコン機３の上に回転台２を設置し、その上にカメラ１を設置し、正面以外にもカメラが向けられるようにした。また、回転台の回転方向と停止位置は制御信号を送信するコントローラ４から制御できるようにした。【選択図】  図１
0003104505.tif 000002
【実用新案登録請求の範囲】
【請求項１】
周辺映像をとらえるためにラジコン機上に設置されたカメラが載せられている回転台。
【請求項２】
ラジコン機上のカメラの向きを変える回転台を制御する制御信号を送信するコントローラ。
【考案の詳細な説明】
【技術分野】
【０００１】本考案は、カメラでとらえた映像を送信することが出来るカメラ付きラジコン機において周辺状況を簡単に確認できるようにカメラ部分をラジコン機上の回転台に設置し、この回転台の回転方向と停止位置をコントローラで制御できるようにしたものである。
【背景技術】
【０００２】従来のカメラでとらえた映像を送信することが出来るカメラ付きラジコン機では、カメラはラジコン機に固定されており、前方の映像のみをとらえていた。
【考案の開示】
【考案が解決しようとする課題】
【０００３】カメラでとらえた映像を送信することが出来るカメラ付きラジコン機で、正面方向以外の周辺状況を見るためにはラジコン機本体を見たい方向へ移動させる心要があり手間と時間がかかり不便であった。
本考案は、この不便を解消するためになされたものである。
【課題を解決するための手段】
【０００４】ラジコン機３の上に回転台２を設置し、その上にカメラ１を設置し、正面以外にもカメラが向けられるようにした。また、回転台の回転方向と停止位置は制御信号を送信するコントローラ４から制御できるようにした。
【考案の効果】
【０００５】カメラでとらえた映像を送信することが出来るカメラ付きラジコン機で、ラジコン機本体を見たい方向へ移動させることなく、回転台を回転させるだけで正面方向以外の周辺状況を見ることが出来るようになった。
【実施例】
【０００６】図１、図２はカメラでとらえた映像を送信することが出来るカメラ付きラジコン機用の回転台の設置位置を示す一例である。ラジコン機３の上に回転台２を設置し、その上にカメラ１を設置する。回転台コントローラ４を使い、カメラの向きを任意の向きにする。
【産業上の利用可能性】
【０００７】本考案は、カメラでとらえた映像を送信することが出来るカメラ付きラジコン機で、ラジコン機本体を見たい方向へ移動させることなく、回転台を回転させるだけで正面方向以外の周辺状況を見るためのものである。
【図面の簡単な説明】
【０００８】
【図１】  本考案のカメラ付きラジコン用カメラ回転台と回転台コントローラの平面図である。
【図２】  本考案のカメラ付きラジコン用カメラ回転台の側面図である。
【符号の説明】
【０００９】  １  カメラ
２  回転台
３  ラジコン機
４  回転台コントローラ
【図１】
0003104505.tif 000003
【図２】
0003104505.tif 000004
【手続補正書】
【提出日】平成16年5月13日(2004.5.13)
【手続補正１】
【補正対象書類名】実用新案登録請求の範囲
【補正対象項目名】全文
【補正方法】変更
【補正の内容】
【実用新案登録請求の範囲】
【請求項１】
周辺映像をとらえるためにラジコン機上に設置されたカメラが載せられている回転台。
【請求項２】
前記カメラの向きを変える回転台を制御する制御信号を送信するコントローラを備えた請求項１記載の回転台。
(57)【要約】      （修正有）【課題】生レモンの風味を生かしたレモンティーやコーラ、レモンチューハイ等の飲料を作るときにナイフでレモンを切るなどの危険性を伴うことなく、安全・衛生的しかもスピーディーな一連の作業で作れるような、便利で簡単で使いやすいスライスレモンパックを提供する。【解決手段】予めスライスレモンを破断自在の包装フィルムでパックして取り出しやすい箱に詰めて市販する。【選択図】図１
0003104506.tif 000002
【実用新案登録請求の範囲】
【請求項１】
破断自在の包装フィルムでパックしてある飲料用生スライスレモン。
【考案の詳細な説明】
【技術分野】
【０００１】
本考案は、コーラやレモンティーに入れる飲料用のスライスレモンの包装フィルムパックに関するものである。
【背景技術】
【０００２】
喫茶店や家庭でレモンティー等を作るためグラスにレモンを入れる時は、１個のレモンをナイフでスライスして使っているが、残りのレモンを冷蔵庫ストックする時にレモンの切り口が乾燥しないようにラップで密封するか、パック容器に入れてしまっておく必要があるので手間がかかるし、ナイフで切るのは危険を伴う。
【０００３】
実際、喫茶店やカウンターバーでスライスレモンをグラスに入れたりする時もナイフを使って危険であるし、次にナイフがレモンの酸で錆びないようにダスターでナイフを拭かなければならない。どうしても、素手でレモンに触れなければならないし、見た目も衛生的にも不潔な感じがする。
それと、スライスレモンをグラスに入れるまでの一連の作業工程がありすぎて、手間がかかるという問題点がある。
【考案の開示】
【考案が解決しようとする課題】
【０００４】
本考案は、このような従来の問題点を解決しようとするものであり、スライスレモンパックを市販の飲料に付属として付けたり、喫茶店やカウンターバーでレモンティーやレモンチューハイを作る時に、安全・衛生的しかもスピーディーな一連の作業で作れるような、便利で簡単で使いやすい製品を提供する。
【課題を解決するための手段】
【０００５】
本考案は、スライスレモンを破断自在な包装フィルムでパックして冷やしておき、ワンタッチで開き指でレモンをつまむことなくグラスの中にスライスレモンを入れるという発想を形にして製品を作った。
【考案の効果】
【０００６】
上述したように、本考案のスライスレモンパックによれば、スライスレモンパックを１パックずつ取り出しやすい形の手のひらサイズの箱に詰めて、コンビニエンスストアやスーパーマーケットで販売し、買った人は、そのまま冷蔵庫に冷やしておいて、必要時に箱から１パックずつ取り出して簡単な操作でスライスレモンをグラスの中の飲料に中に入れることが出来る。
【考案を実施するための最良の形態】
【０００７】
以下、本考案の実施の形態を図に基づいて説明する。
【実施例】
【０００８】
図１に示すように２−Ｆのスライスレモンパックが１−Ｅの箱に１−Ｄの蓋をかぶせ、ティーパックの箱詰めのような形で詰めてある（図１−１）。それを２のように１パックずつ取り出して使う（図１−２）。
【０００９】
それから、図２に示すようにＡ−Ｇ破断自在の包装フィルムパックにＡ−Ｈスライスレモンが入っているスライスレモンパック（Ａ）がある。Ｂのように指の先でＧを破り裂いて、Ｃのようにグラスの中にＨを落とすという一連の操作になる。
【図面の簡単な説明】
【００１０】
【図１】本考案のスライスレモンパックを箱詰めした時の箱の外観図である。
【図２】本考案のスライスレモンパックの外観図と一連の使い方の図である。
【符号の説明】
【００１１】
１  スライスレモンパックを箱詰めした場合の予想図
２  １の箱詰めした箱からの取り出し方の図
Ａ  スライスレモンパックの外観図
Ｂ  スライスレモンパックの中のレモンを取り出す時のパックの破断の手本
Ｃ  Ｂの破断したパックの口からスライスしたレモンを出す図
Ｄ  １のスライスレモンパックを箱詰めした箱の蓋
Ｅ  １のスライスレモンパックを箱詰めした箱本体
Ｆ  図１−２の説明用に付号したスライスレモンパック
Ｇ  スライスレモンパックのレモンの輪切りを包む破断自在の包装フィルムパック
Ｈ  スライスレモンパックの中の生スライスレモン
【図１】
0003104506.tif 000003
【図２】
0003104506.tif 000004
(57)【要約】      （修正有）【課題】従来のテーブル等の下において使用する電気暖房器は、塵埃の多い床の上で使用するにもかかわらず、外郭に取り付けられている保護網は、網の目が粗く、実装面積も広いので、隙間から塵埃が浸入しやすい、しかも外郭は取り外しができないため、本体の内部に一度塵埃が入ってしまうと清掃することが困難であった。本考案ではこの塵埃を取り除くことができる電気暖房器を提供する。【解決手段】外郭内部に、ヒータ１１、このヒータ１１の下側に反射板１４が配置され、該外郭上面と側面の一部が保護網で構成される電気暖房器において、着脱可能な上枠３を外郭の上面に取り付け化粧ねじ４で固定する。【選択図】図１
0003104503.tif 000002
【実用新案登録請求の範囲】
【請求項１】
外郭の一部が着脱可能で内部が掃除できる電気暖房器。
【考案の詳細な説明】
【技術分野】
【０００１】
本考案はテーブルの下等に置き、下半身を暖める電気暖房器に関する。
【背景技術】
【０００２】
テーブルの下に置き椅子に腰掛けて使用できる電気足暖器が、電気こたつのような採暖用の電気暖房器具として増えてきている。この種の電気暖房器では、外郭内部に、ヒータ、このヒータの下側に反射板が配置され、該外郭上面と側面は木製の枠と保護網で構成される。
【考案の開示】
【考案が解決しようとする課題】
【０００３】
外郭内部に、ヒータ、このヒータの下側に反射板が配置され、該外郭上面と側面が網で構成される電気暖房器を、長期間使用すると外郭の保護網の目の隙間から綿ごみ等の塵埃が内部に浸入して溜まる。内部に溜まった塵埃を取り除かずに使用し続けるとヒータ付近の塵埃が発煙や発火するという問題があった。また内部に溜まった塵埃を保護網の外側から吸引式の掃除機で取り除くことはほとんどできない。本考案ではこの塵埃を取り除くことができる電気暖房器を提供することを目的とするものである。
【課題を解決するための手段】
【０００４】
本考案は上記課題を解決するため、外郭の一部を簡単に取り外せる構造とし、内部に溜まった塵埃の掃除を可能にしたものである。
【考案の効果】
【０００５】
本考案は、外郭内部に、ヒータ、このヒータの下側に反射板が配置され、該外郭上面と側面の一部が網で構成される電気暖房器において、外郭の一部が簡単に取り外せるので、外郭内部に溜まった塵埃の清掃が可能になり、発煙や発火の危険がなくなる。
【実施例１】
【０００６】
以下、本考案を実施例によって詳述する。
【０００７】
木製の枠１は外郭の骨格を成し、表面に植毛が施された金属製の網２が張り付けられ、内側には補強金具８と上枠支持板７が取り付けられている。
【０００８】
上枠３は本体と同様に木製の枠と表面に植毛が施された金属製の網からなり、外郭上部の開口部にふたをするように取り付けられる。上枠３の片側には突起があり木製の枠１の穴にそれを差し込み、もう片側は化粧ねじ４で固定される。
【０００９】
本体の側面には制御基板１７を納めたコントローラケース６が取り付けられ、コントローラケースの上部にはスイッチツマミ５が配置される。
【００１０】
ヒータ１１は反射板１４の上にヒータ支持金具１３で固定され、リード線カバー１０とヒューズカバー１６で充電部分を覆い、ヒータ１１の上部には表面に遠赤外線塗装をしたヒータカバー１２が取り付けられている。
【００１１】
本体底部は底板１５で覆い、脚９が取り付けられる。２個所の脚９は高さ調節可能で、平面でない床上に本体を置いた場合でも脚９のがたつきをなくすことができる。
【００１２】
次に、以上の構成における使用方法について説明する
【００１３】
化粧ねじ４を指で回してはずす。この化粧ねじ４は指で回せるためドライバ等の工具は必要としない。
【００１４】
上枠を斜めに持ち上げてはずす。
【００１５】
内部に溜まった塵埃を掃除機等で取り除く。
【００１６】
上枠を取り付け、化粧ねじで固定する。取り外したときと同様にこの化粧ねじは手で回せるためドライバ等の工具を必要としない。
【図面の簡単な説明】
【００１７】
【図１】本考案実施例を示す電気暖房器の斜視図である。
【図２】上枠の取り外し方法の説明図である。
【図３】本考案実施例の断面図である。
【図４】本考案実施例の分解図である。
【符号の説明】
【００１８】
１    枠
２    網
３    上枠
４    化粧ねじ
５    スイッチツマミ
６    コントローラケース
７    上枠支持板
８    補強金具
９    脚
１０  リード線ガード
１１  ヒータ
１２  ヒータカバー
１３  ヒータ支持金具
１４  反射板
１５  底板
１６  ヒューズカバー
１７  制御基板
【図１】
0003104503.tif 000003
【図２】
0003104503.tif 000004
【図３】
0003104503.tif 000005
【図４】
0003104503.tif 000006
(57)【要約】      （修正有）【課題】老若男女誰にでも簡単に組み立てができ、優しさと簡便性を重視した篭盛り台を提供する。【解決手段】篭盛り台本体は、前脚３aと後脚３bを横棒で固定し、さらに前脚３bと、後脚３bを横棒で固定形成している。また横棒の上部に心棒で固定された一対の翼状式台座が上部と下部に設けてあり、ワンタッチ式を形成している。部材の心棒Aは木製・竹製品・プラスチック・金属類とする。【選択図】図１
0003104510.tif 000002
【実用新案登録請求の範囲】
【請求項１】
四本の脚をそれぞれ十字に固定し、脚部横棒に回転軸となる心棒を入れて１個の脚部を構成し、さらに１部位の上部と下部にそれぞれ半円の台座を取り付けて一対にし、翼状式のワンタッチ式四脚儀式用飾り台。
【考案の詳細な説明】
【技術分野】
【０００１】
本考案はお盆及び仏事や慶事等に供物・供花・花輪・写真・祝辞・トロフィー・光ファイバー・電飾回転マリン灯・電飾回転灯・3Dレーザークリスタル・造花・電飾品等を載置して、飾るために使用される儀式用飾り台である。
【背景技術】
【０００２】
従来より、供物等をお供えする際に、その見栄えを良くする為に、篭盛り台が使用されている。
【考案の開示】
【考案が解決しようとする課題】
【０００３】
本考案はワンタッチ式で行える構造の半円一対翼状式台座の提供である。収納・組み立てが簡単で、安全性・機能性に優れている。
【０００４】
従来の篭盛り台は、簡便性に乏しく組み立ても複雑化している。更に部品不足等が発生しており、又年配者の組み立てが難しい等問題が多く発生している為に、考案者は如何に簡単な方法で組み立てができて、容易にできる篭盛り台を提供することを目的とする。
【課題を解決するための手段】
【０００５】
本考案者は、上記の目的を達成するために、上部台座と下部台座を半分に切断して、脚部の一部位にそれぞれ取り付けた。更に複雑な組み立てを容易にし、脚部をより簡単にする為に、回転軸となる心棒を設け脚部全体を一体化したことを特徴とする。
【考案の効果】
【０００６】
本考案によって以下の効果を奏することができる。
【０００７】
脚部全体が一体化となり、部品の欠品・破損も少なく、容易に組み立てられる。
【０００８】
組み立ての作業時間が短くなり、無駄な時間・労費が減少する。
【０００９】
脚部の管理が容易で簡便性に優れている。
【００１０】
片付け収納が容易である。
【考案を実施するための最良の形態】
【００１１】
本考案においては、回転軸となる心棒を設けることにより、組み立てがワンタッチ式で簡単であると同時に収納もより簡単にできる。更に移動も簡単で破損等の危険度が少なく機能性に優れている。
【実施例】
【００１２】
図１は本考案の翼状台座付円脚儀式用飾り台を示す正面図、図２は半円台座上部取り付きを示す平面図、図３は斜面図、図４は底面図、図５は上部及び下部台座の翼状形を示す斜面図、図６a・図６bは収納時を示す図であり、図７は翼状式台座の心棒図である。
【００１３】
図７において、Aは翼状式台座取付心棒を示す図である。
【００１４】
ストッパーBは翼状式台座を収納時に閉じるために取付けられている。
【産業上の利用可能性】
【００１５】
本考案はお盆及び仏事や慶事等に供物・供花・花輪・写真・祝辞・トロフィー・光ファイバー・電飾回転マリン灯・電飾回転灯・3Dレーザークリスタル・造花・電飾品等を載置して、飾るために使用される儀式用飾り台である。
【図面の簡単な説明】
【００１６】
【図１】翼状台座付円脚儀式用飾り台を示す正面図。
【図２】半円台座上部取り付きを示す平面図。
【図３】斜面図。
【図４】底面図。
【図５】上部及び下部台座の翼状形を示す斜面図。
【図６ａ】収納時を示す図
【図６ｂ】収納時を示す図
【図７】翼状式台座の心棒図
【符号の説明】
【００１７】
１  上部台座
２  下部台座
３a  脚部
３b  脚部
A  心棒
B  ストッパー
【図１】
0003104510.tif 000003
【図２】
0003104510.tif 000004
【図３】
0003104510.tif 000005
【図４】
0003104510.tif 000006
【図５】
0003104510.tif 000007
【図６ａ】
0003104510.tif 000008
【図６ｂ】
0003104510.tif 000009
【図７】
0003104510.tif 000010
(57)【要約】【課題】掃除機が家具や建材を傷つけないようにし、美観、柔らかさ、等を得る。【解決手段】掃除機の先端部分や角の部分にゴム等のクッション材を貼り付け、その表面にすべりのよいビロード、毛、のようなものを取り付ける。【選択図】    図１
0003104546.tif 000002
【実用新案登録請求の範囲】
【請求項１】
掃除機の吸い込み口の先端部分の外周にクッション材を用いることを特徴とする掃除機
【請求項２】
掃除機のモータやフィルタが収納してある機械部分の外周及び車輪にクッション材を用いることを特徴とする掃除機
【考案の詳細な説明】
【考案の詳細な説明】
【技術分野】
【０００１】  本考案は、突起部にクッション材を取り付けた掃除機に関するものである。
【背景技術】
【０００２】  従来の掃除機は突起部にクッション材を用いていないものであった。
【考案の開示】
【考案が解決しようとする課題】
【０００３】  解決しようとする問題点は、掃除中に掃除機が家具や建材に当たって傷つける点である。
【課題を解決しようとする課題】
【０００４】  本考案は、掃除機が家具や建材に当たって傷つけないようにすることが主な課題であるが、将来販売される掃除機だけでなく、現在使用中の掃除機にも簡単に取り付け取り外しができ、美観があり、クッション材の取替えやクリーニングが容易である等の課題がある。
【考案の効果】
【０００５】  本考案は、掃除機が家具や建材に当たって傷つけないような効果がある。
【考案を実施するための最良の形態】
【０００６】  掃除機が家具や建材に当たって傷つけるのは主に吸い込み口、次に本体の車の部分、最後に本体の角の部分である。
吸い込み口には先端部の外側をクッション材で覆い、他の部分も同様にクッション材で覆う。
【実施例１】
【０００７】  図１は本考案の掃除機の吸い込み口を示す図で、吸い込み口（１）の先端部（２）を従来のプラスチックに替えてゴム等の柔らかいのもとする。
さらに滑りを良くするためゴム等の柔らかいもののうえにビロードの布または柔らかい毛のようなもので表面を覆う。【０００８】  図２は本考案の掃除機の巾広の吸い込み口（３）を示すもので、吸い込み口（３）の周囲（４）を図１の場合と同様に、ゴム等の柔らかいもののうえにビロードの布または柔らかい毛のようなもので表面を覆った材料で角や辺を覆う。【０００９】  図３は本考案の掃除機の機械部を示すもので、本体（５）の下部（６）と車輪（７）の外周囲を、ゴム等の柔らかいもののうえにビロードの布または柔らかい毛のようなもので表面を覆った材料で覆う。
車輪（７）の接地面も特に柔らかいゴム状の材料を用いた上にビロードの布または柔らかい毛のようなもので表面を覆った材料で覆う。【００１０】  これらの柔らかいゴム状の材料を用いた上に、ビロードの布または柔らかい毛のようなものを接着した材料は、接着テープのようなもので着脱可能のものとし、常に洗濯や新品取替えが可能なものとする。
【産業上の利用可能性】  本考案の掃除機は家庭内において利用され、家具を傷つけないばかりでなく柔らかく暖かい雰囲気を出す。
【図面の簡単な説明】
【００１１】
【図１】本考案の吸い込み口を示す図である。（実施例１）
【図２】本考案の幅広の吸い込み口を示す図である。（実施例２）
【図３】本考案の掃除機本体を示す図である。（実施例３）
【符号の説明】
【００１２】          １        吸い込み口
２        先端部
３        巾広の吸い込み口
４        吸い込み口の周囲
５        本体
６        下部
７        車輪
【図１】
0003104546.tif 000003
【図２】
0003104546.tif 000004
【図３】
0003104546.tif 000005
(57)【要約】      （修正有）【課題】散髪するバリカンに把手を取付け後頭部を刈る際一部分残ることが有り、残らぬように片手で出来るようにする自在把手付きバリカンの提供。【解決手段】把手の握り部に手で簡単に刃の向きを変へる蛇腹パイプを固着した。【選択図】図１
0003104543.tif 000002
【実用新案登録請求の範囲】
【請求項１】
所要形状任意形バリカンに所要形状任意形つ字形状に平たな長方形アルミ材を折曲げ、折曲げた握り部とバリカン所要個所との間に介在する任意形パイプを設け該握り部に十文字に蛇腹パイプを任意形に着脱自在に螺着、以上の構成からなる自在把手付バリカン。
【考案の詳細な説明】
【考案の詳細な説明】
【技術分野】
【０００１】  本考案はバリカンに関する。
【背景技術】
【０００２】  実公平６９２２に登録しているのがありました。
【考案が解決しようとする課題】
【０００３】  本考案は従来の技術の有するこのような問題に鑑みてなされるものでその目的とする事は先般登録済で未解決の要件を満たすことが該バリカンを使用左手で届かないことが解った。
【課題を解決するための手段】
【０００４】  上記目的を達成するために本考案における把手付バリカン握り部に自在に形を変へる蛇腹パイプを十字形に着脱自在に固着する。該バリカンと把手とを固着可能にパイプを設ける。
【考案を実施するための最良の形態】
【０００５】  考案の形態について図面を参照して説明する。図１のバリカン、２把手、３挿入筒、４蛇腹パイプ、５螺、バリカン把手を逆手に持ち後頭部に当てて髪を刈るが年を取ると手が曲らなくなり従来のものでは後頭部一部分が残るようになり困り考案、左右上下自在に曲る蛇腹パイプを把手の所要個所に着脱自在に螺着。図１の実施例は蛇腹パイプ４を両手で持てるようにした例であり、また図２の実施例は蛇腹パイプ４を片手で持つようにした構造例である。
【考案の効果】
【０００６】  本考案は上記のように構成されているので次に記載する効果を奏する。
片手の人でも頭全部刈れるようになった、亦挿入管の伸縮を利用該バリカンと把手を固着するのを可能にした。
【図面の簡単な説明】
【図１】  本考案の実施例の側面図
【図２】  本考案の他の実施例の側面図
【符号の説明】
１  バリカン
２  把手
３  挿入管
４  蛇腹パイプ
５  螺
【図１】
0003104543.tif 000003
【図２】
0003104543.tif 000004
(57)【要約】      （修正有）【課題】従来、ガラスだけを使用し、デザイン的に単調であったステンドグラス装飾品をガラスと布という全く質感の異なる素材を組み合わせることでデサイン的に向上したステンドグラス装飾品を提供する。【解決手段】各種布類又はレース１を２枚のガラス２で挟み、ガラスの周囲を銅製テープ３で巻き、取付金具又は鎖，布紐等を取付けることを特徴とする。【選択図】図２
0003104544.tif 000002
【実用新案登録請求の範囲】
【請求項１】
各種布類又はレース（１）を２枚のガラス（２）で挟み、ガラス（２）の周囲を銅製テープ（３）で巻き、半田処理する。これに取付金具（４）又は鎖，布紐等（５）を取付ける。以上の如く構成されたステンドグラス装飾品。
【考案の詳細な説明】
【考案の詳細な説明】
【技術分野】
【０００１】  本考案は、各種布類又はレースをガラスで挟んだステンドグラス装飾品に関するものである。
【背景技術】
【０００２】  従来、ステンドグラスを使った装飾品は、単純にガラスだけを使用し、ガラス本来の色又は透明感だけを特徴としていた。
【考案が解決しようとする課題】
【０００３】  本考案は、その欠点を除いて２枚のカットしたガラスの間に各種布類又はレースを挟むことにより、ガラスと布という全く質感の異なる素材を組合わせ、デザイン性のあるステンドグラス装飾品にしようとするものである。
【課題を解決するための手段】
【０００４】  各種布類又はレース（１）を２枚のカットしたガラス（２）に挟む。２枚のガラスの周囲を銅製テープ（３）で巻き、半田処理する。その後、取付金具又は鎖，布紐等を取付ける。
本考案は以上のような構成よりなる装飾品である。
【考案を実施するための最良の形態】
【０００５】  以下、本考案の実施の形態について説明する。
（イ）各種布類又はレース（１）を２枚のカットしたガラス（２）で挟む。
（ロ）ガラス（２）の周囲に銅製テープ（３）を巻く。
（ハ）銅製テープ（３）の上を半田処理する。
（ニ）取付金具（４）又は鎖，布紐等（５）を取付ける。
【考案の効果】
【０００６】  本考案は、以上のような構造でデザイン性の向上したステンドグラス装飾品となる。なお、図３に示すように取付金具（４）又は鎖，布紐等（５）の代わりに足（６）及び取っ手（７）を取付け、インテリア置物としてもよい。
【図面の簡単な説明】
【図１】本考案の斜視図である。
【図２】本考案の組立状態を示す斜視図である。
【図３】本考案の他の実施例を示す斜視図である。
【図１】
0003104544.tif 000003
【図２】
0003104544.tif 000004
【図３】
0003104544.tif 000005
(57)【要約】【課題】本考案は、ゴルフ用グローブにスイングチェック等を記載したメモを収納できる透明なポケットを設け、練習時等におけるスイングチェック等の手助けする事を容易にする。【解決手段】本考案はグローブの甲の部分（１）にポケット（２）が形成されており、これにチェックポイント等を記載したメモ帳を収納することができ、練習時及びプレイ時においてチェックポイント等の確認が容易になり役立つ。【選択図】図１
0003104542.tif 000002
【実用新案登録請求の範囲】
【請求項１】
ゴルフ用手袋の甲の部分に透明のポケットを形成し、そのポケットの入り口をチャックで止め、その中にメモ用紙を挿入できる形にした物。
【考案の詳細な説明】
【技術分野】
【０００１】本考案は、ゴルフの練習時及びプレイ時におけるスイング等の自己チェックポイント等を確認できながらプレイする。
【背景技術】
【０００２】チェックポイント等を確認する手段は、別途メモ帳等を持参し逐次見る必要があった。
【考案の開示】
【考案が解決しようとする課題】
【０００３】練習時やプレイ時に常にメモ帳等を持参し、いちいち確認しながらプレイするのは面倒でありメモ帳を閉じると、忘れがちである。
【課題を解決するための手段】
【０００４】本考案は、グローブの甲の部分に直接メモ帳を、貼り付けるという視点で透明のポケットを形成したグローブである。
【考案の効果】
【０００５】上述のように、本考案はグローブの甲の部分にポケットが形成されており、これにチェックポイント等を記載したメモ帳を収納することができ、練習時及びプレイ時においてチェックポイント等の確認が容易になる。【０００６】雨天、又は降雪時もメモ帳が濡れずに確認できる。
【考案の実施するための最良の形態】
【０００７】本考案はゴルフグローブの甲の部分に透明のポケットを設けチェックポイントを記入したメモを挿入できる。
又、そのメモが取れないようにチャックで止られるような形態とする。
【実施例】
【０００８】以下、添付図面に従って一実施例を説明する。
ゴルフグローブの甲の部分（１）に透明のポケット（２）を設けチェックポイントを記入したメモを挿入できる。
又、メモが取れないようにチャック（３）で止められる。
練習時やプレイ時に常にメモ帳等を持参し、いちいち確認しながらプレイするのは面倒でありメモ帳を閉じると、忘れがちである。
プレイ瞬間まで見られる、利点がある
【図面の簡単な説明】
【０００９】
【図１】本考案の斜視図である。
【図２】本考案の実施例を示す斜視図である。
【符号の説明】
１  ゴルフグローブの甲の部分
２  ポケット
３  メモ帳
【図１】
0003104542.tif 000003
【図２】
0003104542.tif 000004
(57)【要約】【課題】木炭に穴を開け、木炭そのものを植木鉢にした。【解決手段】本体１に開けた掘削穴２の部分に、複数の種類の花を植え栽培したところ、成長が早く、丈夫に発育した。【選択図】  図１
0003104545.tif 000002
【実用新案登録請求の範囲】
【請求項１】
本体１に開けた掘削穴２の部分に、複数の種類の花を植え栽培する木炭を掘削して製作した植木鉢。
【考案の詳細な説明】
【考案が解決しようとする課題】
【０００１】植木鉢に木炭の粉末を入れ、活性炭・土壌改良剤として利用することは一般的だが、よりその効果を高めるための技術が必要だった。
【課題を解決するための手段】
【０００２】  木炭そのものを植木鉢にすることができないか、という発想のもと試作をしたが、もろく壊れやすいためなかなかうまくいかなかった。ボール盤で掘削する際の回転速度、直径、深さによって仕上がりが大きく違うことを試作の中から知った。
【考案の効果】
【０００３】掘削穴に、複数の種類の花を植え栽培したところ、成長が早く、丈夫に発育した。
【図面の簡単な説明】
【図１】穴を掘削した後の斜視図である。
【図２】「穴を掘削した後、真上から見た平面図である。
【符号の説明】
１、本体（木炭）
２、掘削穴
【図１】
0003104545.tif 000003
【図２】
0003104545.tif 000004
(57)【要約】【課題】  ケーブルの圧着端子または圧縮端子等の締付け作業が簡単容易に行えると共に、締付け後長期間に亘り振動等を受けてもボルトの弛む惧れのないようにする。【構成】  本考案に係るボルトの回り止めプレート１は、座板部２の長手方向に沿って複数個のボルト挿通孔３、４を設けると共に、長手方向両側には側縁を屈曲してボルト頭部の嵌合係止し得る係合縁５、６を形成してある。  また、座板部の長手方向に沿って２個のボルト挿通孔を所定間隔をおいて設けると共に、各挿通孔の両側には側縁を屈曲してボルト頭部の嵌合係止し得る係合縁を夫々形成してある。【選択図】  図１
0003104579.tif 000002
【実用新案登録請求の範囲】
【請求項１】
座板部の長手方向に沿って複数個のボルト挿通孔を設けると共に、長手方向両側には側縁を屈曲してボルト頭部の嵌合係止し得る係合縁を形成してなることを特徴とするボルトの回り止めプレート。
【請求項２】
座板部の長手方向に沿って２個のボルト挿通孔を所定間隔をおいて設けると共に、各挿通孔の両側には側縁を屈曲してボルト頭部の嵌合係止し得る係合縁を夫々形成してなることを特徴とするボルトの回り止めプレート。
【考案の詳細な説明】
【技術分野】
【０００１】
本考案は、ボルトをナットで締付ける際のボルト頭部の空回りを防止し、締付後のボルトの弛みを抑止するための部材に関するものである。
【背景技術】
【０００２】
従来、この種部材としては、ボルト挿通孔の周側部適所にボルト頭部の一側面が係止するようにした起立片を設けた座金等があった。
【考案の開示】
【考案が解決しようとする課題】
【０００３】
上記従来の座金は、ナットで締付ける際に座金が回動し易いためため、ボルト頭部の空回りを確実に防止できず、締付作業に手間取る難点が有った。
また、特に、分子端子ボックス内等の狭い場所でケーブル端子の締付け作業を行う場合に、ボルト頭部が共に回る事は大変煩わしかった。また、締付け後長期間使用していると、振動や繰返し荷重のためにボルトが弛み易い難点もあった。
【０００４】
本考案は、上記難点に鑑み、ケーブルの圧着端子または圧縮端子等の締付け作業が簡単容易に行えると共に、締付け後長期間に亘り振動等を受けてもボルトの弛む惧れのない、回り止めプレートを提供しようとするものである。
【課題を解決するための手段】
【０００５】
上記目的を達成するために、本考案に係るボルトの回り止めプレートは、座板部の長手方向に沿って複数個のボルト挿通孔を設けると共に、長手方向両側には側縁を屈曲してボルト頭部の嵌合係止し得る係合縁を形成して構成する。
又、座板部の長手方向に沿って設けるボルト挿通孔は所定間隔をおいて２個設けると共に、各挿通孔の両側には側縁を屈曲してボルト頭部の嵌合係止し得る係合縁を夫々形成してある。
又、前記ボルト挿通孔の形状は、円形、楕円形等に形成することが可能である
【考案の効果】
【０００６】
本考案に係る回り止めプレートは、請求項１記載のように、座板部の長手方向に沿って複数個のボルト挿通孔を設けると共に、長手方向両側には側縁を屈曲してボルト頭部の嵌合係止し得る係合縁を形成してあるから、ナットの締付時には、挿通孔に通したボルト頭部が係合縁間に嵌合係止しているので共回りすることがない。従って、締付作業が容易で迅速に行う事が出来る。また、締付け後長期間の使用により振動や繰返し荷重を受けた場合でも、ボルトが弛んで圧着端子等が離脱したりする惧れが無い。
特に、分岐端子ボックスのような狭い所で、ケーブル端子の取付けを必要とする場合には使用して大変便利であり、片手でも締付け作業を行うことが出来る。
【０００７】
又、請求項２記載のように、座板部の長手方向に沿って２個のボルト挿通孔を所定間隔をおいて設けると共に、各挿通孔の両側には側縁を屈曲してボルト頭部の嵌合係止し得る係合縁を夫々形成しておけば、各係合縁でボルト頭部を確実に係止することが出来ると共に、デザイン的にも優れた製品を提供することができる。
【０００８】
また、本考案に係る回り止めプレートは、穴あけ、切り抜き、折り曲げの一連の金属加工により容易に製造することができるので、極めて安価に提供することができる。
【考案を実施するための最良の形態】
【０００９】
以下、添付図面に従って本考案の一実施形態を詳説する。
図１及び図２に示すように、本考案に係るボルトの廻り止めプレート１は、座板部２の長手方向に沿って、ボルト軸部ｂを挿通し得る円形の挿通孔３、４を夫々設けると共に、各挿通孔３、４の両側には側縁を屈曲して、ボルト頭部ａが嵌合し得る係合縁５、６を平行に立設してある。なお、上記各係合縁５、６の幅は、ボルト頭部ａと略同一に形成してある。
【００１０】
図３は、ケーブル端子等の取付部材１０を端子板等の固定部材１１に締着した状態を示す。而して、同図に於いて、ボルト頭部ａは、その対向する両側面が両係合縁５，５の内壁面に当接するためその回動が抑止され、ナット１２で締付け際にボルト頭部ａが空回りしない。また、締め付け後の使用時に振動等を受けても、ボルトが緩む惧れが無い。１３はワッシャーを示す。
【００１１】
また、座板部２にはボルト挿通孔を２個設けてあり、夫々ボルトを嵌めてあるので、締付け時にプレート１が回動することが無い。
【００１２】
なお、上記実施形態においては、各係合縁５、５を挿通孔３、４の両側に夫々配設するようにしたが、座板部２の両側全体に形成するようにしてもよい。
【００１３】
図４及び図５は、本考案の回り止めプレートを設けた、変圧器の二次側引出線の８端子分岐用端子ボックスを示す。
同図において、２０、２０は夫々４個のボルト２１を設けた４端子取付板であり、回り止めプレート２２を上下方向に対向するボルト２１、２１に亘り介装してある。
而して、端子取付板２０にケーブル端子（図示省略）を取り付ける場合に、回り止めプレート２２により、ボルト頭部２３が回動しないので、ナット２５による締付け作業が容易且つ迅速に行える。
【図面の簡単な説明】
【００１４】
【図１】本考案に係る廻り止めプレートの斜視図である。
【図２】ボルトを装着した状態を示す斜視図である。
【図３】使用状態を示す断面図である。
【図４】低圧分岐端子ボックスの平面図である。
【図５】図４におけるＡ−Ａ線一部断面図である。
【符号の説明】
【００１５】
１  回り止めプレート
２  座板部
３  ボルト挿通孔
４  ボルト挿通孔
５  係合縁
６  係合縁
【図１】
0003104579.tif 000003
【図２】
0003104579.tif 000004
【図３】
0003104579.tif 000005
【図４】
0003104579.tif 000006
【図５】
0003104579.tif 000007